【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
ａ）  固相重合処理により進行できる熱可塑性ポリマーを準備し；
ｂ）  当該熱可塑性ポリマーと
ｉ）  少なくとも１種の非類似熱可塑性ポリマー、又は
ｉｉ）  有機若しくは無機粒子状充填剤と
をブレンドし；
ｃ）  該進行できる熱可塑性ポリマーを固相重合させて、固相重合処理前のブレンドの物理的又は化学的特性と少なくとも一つの異なる物理的又は化学的特性を示す改質ポリマーアロイ又は改質充填剤添加ブレンドを与え；そして
ｄ）  得られた改質ポリマーアロイ又は改質充填剤添加ポリマーブレンドの接着性層で支持体を被覆する
ことを含む接着性被覆物で支持体を被覆する方法。
【請求項２】
進行できる熱可塑性ポリマーが縮合ポリマーを含む請求項１に記載の方法。
【請求項３】
進行できる熱可塑性ポリマーがアルキドを含む請求項１に記載の方法。
【請求項４】
非類似熱可塑性ポリマーが進行できる請求項１に記載の方法。
【請求項５】
非類似熱可塑性ポリマーが進行できない請求項１に記載の方法。
【請求項６】
進行できる熱可塑性ポリマーと少なくとも１種の非類似熱可塑性ポリマーとをブレンドすることを含む請求項１に記載の方法。
【請求項７】
進行できる熱可塑性ポリマーがポリエステルを含み、非類似熱可塑性ポリマーがコポリエステルを含む請求項６に記載の方法。
【請求項８】
進行できる熱可塑性ポリマーがポリエチレンテレフタレートを含み、非類似熱可塑性ポリマーがコポリエステルを含み、そして、改質ポリマーアロイの溶融粘度が固相重合処理前のブレンドの溶融粘度よりも高い溶融粘度を示す請求項６に記載の方法。
【請求項９】
改質ポリマーアロイの溶融粘度は、約２００〜３００℃の温度及び約５０〜５００Ｐａ−秒の剪断速度において非類似熱可塑性ポリマーの約±１５％の範囲内である、請求項１に記載の方法。
【請求項１０】
進行できる熱可塑性ポリマー及び非類似熱可塑性ポリマーは、ブレンド前に乾燥しない請求項１に記載の方法。
【請求項１１】
進行できる熱可塑性ポリマーと有機粒子状充填剤とをブレンドすることを含む請求項１に記載の方法。
【請求項１２】
進行できる熱可塑性ポリマーと無機粒子状充填剤とをブレンドすることを含む請求項１に記載の方法。
【請求項１３】
無機粒子状充填剤が金属酸化物を含む請求項１２に記載の方法。
【請求項１４】
前記ブレンド工程が溶融ブレンドを含む請求項１に記載の方法。
【請求項１５】
固相重合処理前に得られたブレンドをペレット化することをさらに含む請求項１に記載の方法。
【請求項１６】
ａ）  選択した温度及び押出速度において溶融粘度が一定の値を示す第１熱可塑性ポリマーを準備し；
ｂ）  固相重合処理により進行できしかも選択した温度及び押出速度において前記一定の値と充分に異なる溶融粘度を示し、その結果、第１及び第２熱可塑性ポリマーは同時押出できない第２熱可塑性ポリマーを準備し；
ｃ）  当該第２熱可塑性ポリマーと
ｉ）  少なくとも１種の非類似熱可塑性ポリマー、又は
ｉｉ）  有機若しくは無機粒子状充填剤と
をブレンドし；
ｄ）  第２熱可塑性ポリマーを固相重合させて、改質ポリマーアロイ又は改質充填剤添加ブレンドを与え、前記選択した温度及び押出速度における前記改質ポリマーアロイ又は改質充填剤添加ブレンドの溶融粘度が前記一定の値に充分に近く、その結果、改質ポリマーアロイ又は改質充填剤添加ブレンドと第１熱可塑性ポリマーとが同時押出可能となり；そして
ｅ）  改質ポリマーアロイ又は改質充填剤添加ポリマーブレンドの層及び第１熱可塑性ポリマーの層を支持体に同時押出して接着性被覆物を形成する
ことを含む支持体に接着性多層被覆物を塗布する方法。
【請求項１７】
第２熱可塑性ポリマーが縮合ポリマーを含む請求項１６に記載の方法。
【請求項１８】
第２熱可塑性ポリマーがアルキドを含む請求項１６に記載の方法。
【請求項１９】
非類似熱可塑性ポリマーが進行できる請求項１６に記載の方法。
【請求項２０】
非類似熱可塑性ポリマーが進行できない請求項１６に記載の方法。
【請求項２１】
第２熱可塑性ポリマーと少なくとも１種の非類似熱可塑性ポリマーとをブレンドすることを含む請求項１６に記載の方法。
【請求項２２】
第２熱可塑性ポリマーがポリエステルを含み、非類似熱可塑性ポリマーがコポリエステルを含む請求項２１に記載の方法。
【請求項２３】
第２熱可塑性ポリマーがポリエチレンテレフタレートを含み、非類似熱可塑性ポリマーがコポリエステルを含み、そして、改質ポリマーアロイの溶融粘度が固相重合処理前のブレンドの溶融粘度よりも高い請求項２１に記載の方法。
【請求項２４】
改質ポリマーアロイの溶融粘度は、約２００〜３００℃の温度及び約５０〜５００Ｐａ−秒の剪断速度において第１熱可塑性ポリマーの約±１５％の範囲内である、請求項１６に記載の方法。
【請求項２５】
改質ポリマーアロイの溶融粘度は、約２００〜３００℃の温度及び約５０〜５００Ｐａ−秒の剪断速度において第１熱可塑性ポリマーの約±５％の範囲内である、請求項１６に記載の方法。
【請求項２６】
第２熱可塑性ポリマーと有機粒子状充填剤とをブレンドすることを含む請求項１６に記載の方法。
【請求項２７】
第２熱可塑性ポリマーと無機粒子状充填剤とをブレンドすることを含む請求項１６に記載の方法。
【請求項２８】
無機粒子状充填剤が金属酸化物を含む請求項２７に記載の方法。
【請求項２９】
ブレンド工程が溶融ブレンドを含む請求項１６に記載の方法。
【請求項３０】
支持体が鋼を含む請求項１６に記載の方法。
【請求項３１】
一層以上のポリマー層が接着した支持体を含む被覆した物品であって、少なくとも一層が改質ポリマーアロイ又は改質充填剤添加ポリマーブレンドを含み、当該改質アロイ又は改質ブレンドが熱可塑性ポリマー及び（ｉ）少なくとも１種の非類似熱可塑性ポリマー又は（ｉｉ）有機若しくは無機粒子状充填剤を含み、熱可塑性ポリマーが固相重合処理により進行しており、前記改質アロイ又は改質ブレンドの溶融粘度が固相重合処理前のポリマーアロイまたは充填剤添加ポリマーブレンドの溶融粘度よりも高い、前記一層以上のポリマー層が接着した支持体を含む被覆した物品。
【請求項３２】
前記熱可塑性ポリマーが縮合ポリマーを含む請求項３１に記載の被覆した物品。
【請求項３３】
前記熱可塑性ポリマーがアルキドを含む請求項３１に記載の被覆した物品。
【請求項３４】
前記ブレンドが熱可塑性ポリマー及び少なくとも１種の非類似熱可塑性ポリマーを含む請求項３１に記載の被覆した物品。
【請求項３５】
前記熱可塑性ポリマーがポリエステルを含み、非類似熱可塑性ポリマーがコポリエステルを含む請求項３４に記載の被覆した物品。
【請求項３６】
前記改質ポリマーアロイの溶融粘度は、約２００〜３００℃の温度及び約５０〜５００Ｐａ−秒の剪断速度において非類似熱可塑性ポリマーの約±１５％の範囲内である、請求項３１に記載の被覆した物品。
【請求項３７】
前記ブレンドが熱可塑性ポリマー及び有機粒子状充填剤を含む請求項３１に記載の被覆した物品。
【請求項３８】
前記ブレンドが熱可塑性ポリマー及び無機粒子状充填剤含む請求項３１に記載の被覆した物品。
【請求項３９】
無機粒子状充填剤が金属酸化物を含む請求項３８に記載の被覆した物品。
【請求項４０】
支持体が鋼を含む請求項３１に記載の被覆した物品。